(57)【要約】 【課題】  携帯端末の紛失時や盗難時にＳＩＭカードの取り出しを防止することができる携帯端末用ケースを提供する。【解決手段】  ＳＩＭカードの取出口部１２を有する携帯端末１３に装着して使用する携帯端末用ケース１０において、取出口部１２を着脱可能に被覆する被覆部１４と、被覆部１４の携帯端末１３に対する着脱をロックして取出口部１２が閉じた状態を維持しうる錠部１５とが設けられている。【選択図】  図２
0003208648.tif 000002
【実用新案登録請求の範囲】
【請求項１】
ＳＩＭカードの取出口部を有する携帯端末に装着して使用する携帯端末用ケースにおいて、前記取出口部を着脱可能に被覆する被覆部と、前記被覆部の前記携帯端末に対する着脱をロックして前記取出口部が閉じた状態を維持しうる錠部とが設けられていることを特徴とする携帯端末用ケース。
【請求項２】
前記被覆部は、前記錠部が設けられ、前記携帯端末の厚さ方向側面部の長さ方向下端部を被覆する下端部被覆部と、前記携帯端末の厚さ方向側面部の長さ方向上端部を被覆する上端部被覆部と、前記携帯端末の厚さ方向側面部の幅方向両端部を被覆する両側部被覆部とを有していることを特徴とする請求項１記載の携帯端末用ケース。
【請求項３】
前記錠部は、ダイヤル錠により構成された錠部本体部と、前記錠部本体部に係合し前記ダイヤル錠によりロックしうる係合部とを有していることを特徴とする請求項２記載の携帯端末用ケース。
【請求項４】
前記上端部被覆部には厚さ方向に沿って凹部が形成され、前記凹部に係合しうると共に、前記携帯端末の背面部を被覆する背面カバー部材が設けられていることを特徴とする請求項２記載の携帯端末用ケース。
【請求項５】
前記両側部被覆部、前記下端部被覆部、及び、前記上端部被覆部は、夫々、別体に形成され、前記下端部被覆部及び前記上端部被覆部は、夫々、前記両側部被覆部の内方から固定手段を介して前記両側部被覆部に固定しうることを特徴とする請求項２記載の携帯端末用ケース。
【考案の詳細な説明】
【技術分野】
【０００１】
本考案は、スマートフォン等の携帯端末に装着して使用する携帯端末用ケースに関するものである。
【背景技術】
【０００２】
従来より、スマートフォン等の携帯端末は、ＳＩＭカード（Ｓｕｂｓｃｒｉｂｅｒ  Ｉｄｅｎｔｉｔｙ  Ｍｏｄｕｌｅ  Ｃａｒｄ）と呼ばれる加入者を特定するためのＩＤ番号が記録されたＩＣカードを挿入して、通信を可能な状態にして使用するものが知られている。
このような携帯端末は、ＳＩＭカードを入れ替えることにより、その携帯端末を別の人間が使用できる状態になる。
【０００３】
従って、携帯端末の紛失や盗難によって、その携帯端末の持ち主が使用できなくなるという問題だけでなく、ＳＩＭカードが交換された携帯端末を別の人間によって使用されたり、ＳＩＭカードが抜かれた携帯端末を転売されたりするという問題が生じていた。
例えば、特許文献１には、スマートフォン等の携帯端末の外周を被覆するための携帯端末用ケースが開示されているが、前記したＳＩＭカードの取り出しを防止することはできず、前記問題が解消される技術ではなかった。
【先行技術文献】
【特許文献】
【０００４】
【特許文献１】特開第２０１６−５４３６８号公報
【考案の概要】
【考案が解決しようとする課題】
【０００５】
本考案は、以上のような従来からの不具合を解消するためのものであって、その課題は、携帯端末の紛失時や盗難時にＳＩＭカードの取り出しを防止することができる携帯端末用ケースを提供することにある。
【課題を解決するための手段】
【０００６】
前記課題を解決するために、請求項１記載の考案にあっては、ＳＩＭカードの取出口部を有する携帯端末に装着して使用する携帯端末用ケースにおいて、前記取出口部を着脱可能に被覆する被覆部と、前記被覆部の前記携帯端末に対する着脱をロックして前記取出口部が閉じた状態を維持しうる錠部とが設けられていることを特徴とする。
【０００７】
従って、前記携帯端末用ケースを前記携帯端末に装着して前記錠部を施錠した場合には、前記取出口部が前記被覆部によって被覆されると共に、前記錠部によって、前記被覆部の前記携帯端末に対する着脱がロックされ、前記取出口部が閉じた状態が維持される。
【０００８】
請求項２記載の考案にあっては、前記被覆部は、前記錠部が設けられ、前記携帯端末の厚さ方向側面部の長さ方向下端部を被覆する下端部被覆部と、前記携帯端末の厚さ方向側面部の長さ方向上端部を被覆する上端部被覆部と、前記携帯端末の厚さ方向側面部の幅方向両端部を被覆する両側部被覆部とを有していることを特徴とする。
【０００９】
従って、前記錠部が設けられた前記下端部被覆部によって、前記携帯端末の厚さ方向側面部の長さ方向下端部が被覆され、前記上端部被覆部によって、前記携帯端末の厚さ方向側面部の長さ方向上端部が被覆され、前記両側部被覆部によって、前記携帯端末の厚さ方向側面部の幅方向両端部が被覆される。
【００１０】
請求項３記載の考案にあっては、前記錠部は、ダイヤル錠により構成された錠部本体部と、前記錠部本体部に係合し前記ダイヤル錠によりロックしうる係合部とを有していることを特徴とする。
【００１１】
従って、前記係合部が前記錠部本体部に係合して、前記ダイヤル錠により施錠される。
【００１２】
請求項４記載の考案にあっては、前記上端部被覆部には厚さ方向に沿って凹部が形成され、前記凹部に係合しうると共に、前記携帯端末の背面部を被覆する背面カバー部材が設けられていることを特徴とする。
【００１３】
従って、前記背面カバー部材が前記上端部被覆部に形成された前記凹部に係合した場合には、前記背面カバー部材によって前記携帯端末の背面部が被覆される。
【００１４】
請求項５記載の考案にあっては、前記両側部被覆部、前記下端部被覆部、及び、前記上端部被覆部は、夫々、別体に形成され、前記下端部被覆部及び前記上端部被覆部は、夫々、前記両側部被覆部の内方から固定手段を介して前記両側部被覆部に固定しうることを特徴とする。
【００１５】
従って、前記下端部被覆部及び前記上端部被覆部は、夫々、前記両側部被覆部の内方から固定手段を介して前記両側部被覆部に固定される。
【考案の効果】
【００１６】
請求項１記載の携帯端末用ケースにあっては、前記携帯端末用ケースを前記携帯端末に装着して前記錠部を施錠した場合には、前記取出口部が前記被覆部によって被覆されると共に、前記錠部によって、前記被覆部の前記携帯端末に対する着脱がロックされ、前記取出口部が閉じた状態が維持されるので、前記取出口部を開いてＳＩＭカードを取り出すことができない。
その結果、携帯端末の紛失時や盗難時にＳＩＭカードの取り出しを防止することができる携帯端末用ケースを提供することができる。
【００１７】
請求項２記載の携帯端末用ケースにあっては、前記携帯端末用ケースを前記携帯端末に装着した場合には、前記錠部が設けられた前記下端部被覆部によって、前記携帯端末の厚さ方向側面部の長さ方向下端部が被覆され、前記上端部被覆部によって、前記携帯端末の厚さ方向側面部の長さ方向上端部が被覆され、前記両側部被覆部によって、前記携帯端末の厚さ方向側面部の幅方向両端部が被覆されるので、ＳＩＭカードの取出口部が厚さ方向側面部に設けられた携帯端末に装着して使用した場合には、前記携帯端末の厚さ方向側面部を全周に亘って被覆して保護することができると共に、ＳＩＭカードの取り出しを防止することができる。
【００１８】
請求項３記載の携帯端末用ケースにあっては、前記係合部が前記錠部本体部に係合して、前記ダイヤル錠により施錠されるので、前記錠部を開錠するための鍵を持ち歩く必要がなく、また鍵を紛失して前記錠部を開錠できなくなるといった事態を防止することができる。
【００１９】
請求項４記載の携帯端末用ケースにあっては、前記背面カバー部材が前記上端部被覆部に形成された前記凹部に係合した場合には、前記背面カバー部材によって前記携帯端末の背面部が被覆されるので、前記携帯端末の厚さ方向側面部全周に加え、前記携帯端末の背面部も被覆して保護することができる。また、前記背面カバー部材を別のデザインのものと容易に交換して使用することもできる。
【００２０】
請求項５記載の携帯端末用ケースにあっては、前記両側部被覆部、前記下端部被覆部、及び、前記上端部被覆部は、夫々、別体に形成されているので、前記両側部被覆部、前記下端部被覆部、及び、前記上端部被覆部を、夫々別個独立に、別のデザインのものと交換して使用することができる。
また、請求項５記載の携帯端末用ケースにあっては、前記下端部被覆部及び前記上端部被覆部は、夫々、前記両側部被覆部の内方から固定手段を介して前記両側部被覆部に固定されるので、前記錠部が施錠された状態において、前記固定手段を外して前記被覆部を分解されるといった事態を防止することができる。
【図面の簡単な説明】
【００２１】
【図１】図１は、本考案に係る携帯端末用ケースの一実施形態を示す斜視図である。
【図２】図２は、本考案に係る携帯端末用ケースの一実施形態において、携帯端末用ケースを携帯端末に装着する際の分解斜視図である。
【図３】図３は、本考案に係る携帯端末用ケースの一実施形態を示し、（ａ）は背面カバー部材を示す斜視図、（ｂ）は背面カバー部材の固定手段を示す斜視図、（ｃ）は背面カバー部材を携帯端末に装着した状態を示す斜視図である。
【考案を実施するための形態】
【００２２】
以下、本考案の一実施の形態に係る携帯端末用ケースを、図面を参照して詳細に説明する。
図１及び図２に示すように、本実施の形態に係る携帯端末用ケース１０は、金属製であって、略長方形枠状に形成され、ＳＩＭカードの取出口部１２を有する略直方体状の携帯端末１３に装着して使用するように構成されている。
図１及び図２に示すように、本実施の形態に係る携帯端末用ケース１０は、取出口部１２を着脱可能に被覆する被覆部１４と、被覆部１４の携帯端末１３に対する着脱をロックして取出口部１２が閉じた状態を維持しうる錠部１５とが設けられている。
【００２３】
また、図２に示すように、本実施の形態に係る被覆部１４は、錠部１５が設けられ、携帯端末１３の厚さ方向側面部の長さ方向下端部２６を被覆する平面略Ｕ字状の下端部被覆部１６と、携帯端末１３の厚さ方向側面部の長さ方向上端部２７を被覆する平面略Ｕ字状の上端部被覆部１７と、携帯端末１３の厚さ方向側面部の幅方向両端部２８、２８を夫々被覆する全体細長板状の両側部被覆部１８、１８とを有している。
図２に示すように、本実施の形態に係る下端部被覆部１６、上端部被覆部１７、及び、両側部被覆部１８、１８は、夫々、横断面略台形状に形成されている。
【００２４】
また、図１及び図２に示すように、本実施の形態に係る錠部１５は、回転により夫々０〜９のいずれかの数字を表示する３個のダイヤル１９ａ、１９ｂ、１９ｃを有するダイヤル錠により構成された錠部本体部２０と、錠部本体部２０に係合し前記ダイヤル錠によりロックしうる係合部２１とを有している。
図１及び図２に示すように、本実施の形態に係る錠部本体部２０には、平面長方形状の係止孔部２９が設けられている。また、図２に示すように、本実施の形態に係る係合部２１はヒンジ部３０を介して下端部被覆部１６に回動可能に固定され、先端部に設けられたＵ字状の係止突起３１が錠部本体部２０の係止孔部２９に係合するように構成されている。
【００２５】
また、図１及び図２に示すように、本実施の形態に係る上端部被覆部１７には厚さ方向に沿って断面コ字状の凹部２２が形成され、図３（ａ）に示すように、凹部２２に係合しうる係合部３２を有すると共に、携帯端末１３の背面部２３を被覆する背面カバー部材２４が設けられている。
図３（ａ）に示すように、本実施の形態に係る背面カバー部材２４は、表面部３３が凹凸形状を有し、上端部に係合部３２が延設され、幅方向両端部には両端部被覆部１８、１８に係合しうる平面長方形板状の係止片部３４、３４・・・が設けられている。
また、図１〜図３に示すように、本実施の形態に係る凹部２２の中央には雌ネジ部（図示せず）を有する孔部３５が形成され、係合部３２の中央に形成された孔部３６を通じて固定ネジ３７を螺合させ、背面カバー部材２４を上端部被覆部１７に固定するように構成されている。
図３（ｂ）及び（ｃ）に示すように、本実施の形態に係る固定ネジ３７は、頭部３８と、頭部３８から延設された雄ネジ部３９と、頭部３８の周縁部から反雄ネジ部側に延設された側面円弧状のつまみ部４０とを有している。
【００２６】
また、図１及び図２に示すように、本実施の形態に係る両側部被覆部１８、１８、下端部被覆部１６、及び、上端部被覆部１７は、夫々、別体に形成されている。
図２に示すように、本実施の形態に係る両側部被覆部１８、１８の長さ方向両端部には平面長方形板状の挿入片部４１、４１、４１、４１が夫々延設され、挿入片部４１、４１・・・の中央には雌ネジ部（図示せず）を有する孔部４２、４２・・・が夫々形成されている。
図２に示すように、本実施の形態に係る下端部被覆部１６及び上端部被覆部１７の両端部には夫々、断面長方形状の係合孔部４３、４３・・・が形成されると共に両端部の内側面には、孔部４６、４６・・・が形成されている。
図２に示すように、本実施の形態にあっては、両側部被覆部１８、１８の挿入片部４１、４１・・・を、夫々、下端部被覆部１６及び上端部被覆部１７の係合孔部４３、４３・・・に挿入させた状態で、両側部被覆部１８、１８の内方から固定手段であるネジ２５、２５、２５、２５を下端部被覆部１６及び上端部被覆部１７の孔部４６、４６・・・を通じて両側部被覆部１８、１８の孔部４２、４２・・・に螺合させ、下端部被覆部１６及び上端部被覆部１７を、夫々、両側部被覆部１８、１８に固定するように構成されている。
【００２７】
また、本実施の形態に係る両側部被覆部１８には、図２に示すように、携帯端末１３の厚さ方向側面部の幅方向両端部２８、２８に設けられた操作ボタン４４ａ、４４ｂを両側部被覆部１８、１８の上から操作しうる操作ボタン被覆部４５ａ、４５ｂが設けられている。
【００２８】
以下、本実施の形態に係る携帯端末用ケース１０の作用について、図を参照しながら詳細に説明する。
本実施の形態に係る携帯端末用ケース１０を使用する場合には、まず下端部被覆部１６及び上端部被覆部１７を、夫々、両側部被覆部１８、１８に固定する。
具体的には、図２に示すように、両側部被覆部１８、１８の挿入片部４１、４１・・・を、夫々、下端部被覆部１６及び上端部被覆部１７の係合孔部４３、４３・・・に挿入させた状態で、両側部被覆部１８、１８の内方から固定手段であるネジ２５、２５、２５、２５を下端部被覆部１６及び上端部被覆部１７の孔部４６、４６・・・を通じて両側部被覆部１８、１８の孔部４２、４２・・・に螺合させ、下端部被覆部１６及び上端部被覆部１７を、夫々、両側部被覆部１８、１８に固定する。
【００２９】
続いて、図２に示すように、携帯端末１３に被覆部１４を装着する。具体的には、携帯端末１３の厚さ方向側面部の長さ方向下端部２６、長さ方向上端部２７、及び、幅方向両端部２８、２８を、夫々、下端部被覆部１６、上端部被覆部１７、及び、両側部被覆部１８、１８により被覆する。
その後、図２に示すように、本実施の形態に係る係合部２１の先端部に設けられたＵ字状の係止突起３１を、ヒンジ部３０を介して回動させ、錠部本体部２０の係止孔部２９に係合させる。
続いて、図１及び図２に示すように、ダイヤル錠の３個のダイヤル１９ａ、１９ｂ、１９ｃを回転させ、表示される数字を変更することにより、係合部２１を係合状態でロックする。
【００３０】
また、背面カバー部材２４を装着する場合には、さらに以下の手順で行う。図３（ａ）に示すように、本実施の形態に係る背面カバー部材２４の係合部３２を上端部被覆部１７の凹部２２に係合させる。
続いて、図１〜図３に示すように、つまみ部４０をつまんで固定ネジ３７を回転させ、係合部３２の中央に形成された孔部３６を通じて凹部２２の雌ネジ部（図示せず）を有する孔部３５に螺合させ、背面カバー部材２４を上端部被覆部１７に固定する。
【００３１】
以上のように、本実施の形態に係る携帯端末用ケース１０を携帯端末１３に装着して使用する。この際、図１に示すように、本実施の形態に係る携帯端末用ケース１０にあっては、携帯端末１３の取出口部１２が被覆部１４によって被覆されると共に、錠部１５によって、被覆部１４の携帯端末１３に対する着脱がロックされ、取出口部１２が閉じた状態が維持されるので、取出口部１２を開いてＳＩＭカードを取り出すことができない。
その結果、携帯端末の紛失時や盗難時にＳＩＭカードの取り出しを防止することができる携帯端末用ケースを提供することができる。
【００３２】
また、図１及び図２に示すように、本実施の形態に係る携帯端末用ケース１０にあっては、錠部１５が設けられた下端部被覆部１６、上端部被覆部１７、両側部被覆部１８、１８によって、携帯端末１３の厚さ方向側面部の長さ方向下端部２６、長さ方向上端部２７、幅方向両端部２８、２８が、夫々、被覆されるので、ＳＩＭカードの取出口部が厚さ方向側面部に設けられた携帯端末に装着して使用した場合には、前記携帯端末の厚さ方向側面部を全周に亘って被覆して保護することができると共に、ＳＩＭカードの取り出しを防止することができる。
【００３３】
また、図１及び図２に示すように、本実施の形態に係る携帯端末用ケース１０にあっては、係合部２１が錠部本体部２０に係合して、前記ダイヤル錠により施錠されるので、錠部１５を開錠するための鍵を持ち歩く必要がなく、また鍵を紛失して錠部１５を開錠できなくなるといった事態を防止することができる。
【００３４】
また、図３に示すように、本実施の形態に係る携帯端末用ケース１０にあっては、背面カバー部材２４が上端部被覆部１７に形成された凹部２２に係合した場合には、背面カバー部材２４によって携帯端末１３の背面部２３が被覆されるので、携帯端末１３の厚さ方向側面部全周に加え、携帯端末１３の背面部も被覆して保護することができる。また、背面カバー部材２４を別のデザインのものと容易に交換して使用することもできる。
【００３５】
また、図２に示すように、本実施の形態に係る携帯端末用ケース１０にあっては、両側部被覆部１８、１８、下端部被覆部１６、及び、上端部被覆部１７は、夫々、別体に形成されているので、両側部被覆部１８、１８、下端部被覆部１６、及び、上端部被覆部１７を、夫々別個独立に、別のデザインのものと交換して使用することができる。
また、図２に示すように、本実施の形態に係る携帯端末用ケース１０にあっては、下端部被覆部１６及び上端部被覆部１７は、夫々、両側部被覆部１８、１８の内方から固定手段２５を介して両側部被覆部１８、１８に固定されるので、錠部１５が施錠された状態において、固定手段２５を外して被覆部１４を分解されるといった事態を防止することができる。
【００３６】
本実施の形態に係る錠部１５は、ダイヤル錠により構成されている場合を例に説明したが、前記構成に限定されるものではない。
【産業上の利用可能性】
【００３７】
本考案に係る携帯端末用ケースは、携帯端末用のケースとして広く使用することができ、産業上利用可能性を有している。
【符号の説明】
【００３８】
１０：携帯端末用ケース
１２：取出口部
１３：携帯端末
１４：被覆部
１５：錠部
１６：下端部被覆部
１７：上端部被覆部
１８：両側部被覆部
１９ａ、１９ｂ、１９ｃ：ダイヤル
２０：錠部本体部
２１：係合部
２２：凹部
２３：携帯端末の背面部
２４：背面カバー部材
２５：固定手段（ネジ）
２６：携帯端末の厚さ方向側面部の長さ方向下端部
２７：携帯端末の厚さ方向側面部の長さ方向上端部
２８：携帯端末の厚さ方向側面部の幅方向両端部
２９：係止孔部
３０：ヒンジ部
３１：係止突起
３２：係合部
３３：表面部
３４：係止片部
３５：孔部
３６：孔部
３７：固定ネジ
３８：頭部
３９：雄ネジ部
４０：つまみ部
４１：挿入片部
４２：孔部
４３：係合孔部
４４ａ、４４ｂ：操作ボタン
４５ａ、４５ｂ：操作ボタン被覆部
４６：孔部
【図１】
0003208648.tif 000003
【図２】
0003208648.tif 000004
【図３】
0003208648.tif 000005